(57)【特許請求の範囲】
【請求項１】
ホスト装置と前記ホスト装置に有線または無線通信手段により接続された入力装置を含むシステムにおいて、
前記入力装置は、
装置内部に組み込まれ、複数のカード型記録媒体を読み取るカード読取部と、
装置外部に装着された複数のボタンと、
前記ホスト装置は、
前記カード読取部が読み込んだ複数のカード情報と前記複数のボタンと対応づけて記憶するカード情報記憶部を備え、
前記複数のボタンのうちいずれか一つのボタンの押下に応じて、前記対応づけられたカード情報を前記カード情報記憶部から読み出して、前記ホスト装置における入力画面の所定の入力欄に取り込む、
ことを特徴とするシステム。
【請求項２】
前記カード読取部は、第１のカード型記録媒体を挿入する第１カード挿入口と、第２のカード型記録媒体を挿入する第２カード挿入口とを備えることを特徴とする請求項１に記載のシステム。
【請求項３】
前記カード型記録媒体は、クレジットカード又はミニサイズ・クレジットカードであり、前記入力画面は、オンライン・ショッピングにおける決済画面であることを特徴とする請求項1又は２に記載のシステム。
【請求項４】
前記カード型記録媒体は、メモリカードであり、前記カード情報は、前記メモリカードに記憶された住所，氏名，電話番号，ユーザＩＤ，パスワードのうち少なくともいずれか一つを含むことを特徴とする請求項１又は２に記載のシステム。
【請求項５】
前記カード情報記憶部は、前記複数のボタンそれぞれに、前記複数のカード情報とショッピングサイトのＵＲＬを関連づけて記憶し、前記ショッピングサイトの決済画面において、前記記憶されたカード情報と異なるカード情報をもつクレジットカード又はミニサイズ・クレジットカードが挿入された場合は、警告を表示することを特徴とする請求項３に記載のシステム。
【発明の詳細な説明】
【技術分野】
【０００１】
本発明は、カード読取機構一体型の入力装置に関し、特にクレジットカード読取機構を一体化したマウス等の入力装置に関する。
【背景技術】
【０００２】
店舗においてクレジットカードを利用する場合、店舗に備えられたＣＡＴ端末（Credit
Authorization Terminal；信用照会端末）にクレジットカードを読み込ませ、その後、暗証番号を入力することによって、ＣＡＴ端末は、クレジットカード会社の決済システムに信用照会を行い、決済システムは、その照会結果をもとに代金の決済処理を行う。一方、インターネットにおいて、オンライン・ショッピングや有料サイトの会員登録等（以下、オンラインショピング等）でクレジットカード払いを利用する場合には、クレジットカードをＣＡＴ端末に読み込ませる代わりに、クレジットカード番号、カードの有効期限、カード名義人の姓名等、クレジットカードに記録された情報を入力することによって信用照会を行い、決済システムは、その照会結果をもとに代金の決済処理を行う。
【０００３】
このようにオンラインショピング等においてクレジットカードを利用する場合、店舗での利用に比べて、多くの情報の入力を行う必要がある。特に昨今のように、個人が多数のクレジットカードを所持し、ショッピングサイトや商品ごとにクレジットカードを使い分けたいような場合は、毎回、クレジットカード情報の入力を行なわなければならない場面が頻繁に発生する。さらに、ショッピングサイトの画面では、住所・氏名・電話番号のような個人情報もサイトごとに求められることも多く、ユーザにとって入力・確認作業が面倒である。そのため、入力ミスも頻繁に発生し、ユーザの苛立ちの原因にもなっている。しかしながら、店舗のＣＡＴ端末のようなカード読み取り装置は個人用には存在ぜす、仮にあったとしても、そのためだけにカード読み取り装置を導入するには贅沢であり、また、決済システムへの接続も現在ではクレジットカード加盟店のみに限られている。
【０００４】
そのため、家庭等で個人が使用できる手軽な入力装置であって、かつ、ＣＡＴ端末のようにクレジットカード利用の際に手入力をできるだけ少なくできるような簡易的なカード読み取り装置があれば便利である。しかしながら、例えば、特許文献１のように、開蓋構造を持つ携帯電話、ＰＤＡ、マウス等の入力ユニットにカード型の記録媒体を挿入できる機構自体は存在するが、オンラインショピング等における上記のような利便性の課題を直ちに解決するものではない。また、特許文献２には、クレジットカードを複数枚所有する人にとって安全かつ手軽に利用できるオンライン・ショッピングシステムが記載されているが、クレジット決済の仕組みそのものを変える必要があり、手軽に上記課題を解決することを目的としたものではない。
【先行技術文献】
【特許文献】
【０００５】
【特許文献１】登実３１３３８２６号公報
【特許文献１】特開２００２−１０９４３４号広報
【発明の概要】
【発明が解決しようとする課題】
【０００６】
そこで、本発明では、上記のような課題に鑑み、オンラインショピング等において、複数のカードを手軽に使い分けすることができるカード読取機構一体型のマウス等の入力装置を提供することを目的とする。
【課題を解決するための手段】
【００１３】
上記課題を解決するため、本発明のシステムは、以下のような解決手段を備える。
ホスト装置と前記ホスト装置に有線または無線通信手段により接続された入力装置を含むシステムにおいて、前記入力装置は、装置内部に組み込まれ、複数のカード型記録媒体を読み取るカード読取部と、装置外部に装着された複数のボタンと、前記ホスト装置は、前記カード読取部が読み込んだ複数のカード情報と前記複数のボタンと対応づけて記憶するカード情報記憶部を備え、前記複数のボタンのうちいずれか一つのボタンの押下に応じて、前記対応づけられたカード情報を前記カード情報記憶部から読み出して、前記ホスト装置における入力画面の所定の入力欄に取り込むことを特徴とする。
【００１４】
上記のシステムは、入力装置にカード型記録媒体の読み取り装置を一体化させ、複数のカード情報と入力装置に装着された複数のボタンとを対応づけて記憶しておくことで、ユーザが入力装置の操作中にいつでもボタン押下のワンタッチで、記憶されたカード情報を読み出すことができる。
【００１５】
また、上記のシステムにおいて、前記カード読取部は、第１のカード型記録媒体を挿入する第１カード挿入口と、第２のカード型記録媒体を挿入する第２カード挿入口とを備えることを特徴とする。すなわち、カード読取部に２つのカードを別々に装着することができる。このようにすることで、複数のカードを取り替えることなく同時に扱うことができる。なお、２つのカードの種類、サイズは異なっていてもよい。
【００１６】
また、上記のシステムにおいて、カード型記録媒体は、クレジットカード又はミニサイズ・クレジットカードであり、前記入力画面は、オンライン・ショッピングにおける決済画面であることを特徴とする。このようにすることで、カード型記録媒体を、カード情報を入力する場面が最も多いクレジットカードとすることで、ユーザがオンライン・ショッピングの決済画面において、クレジットカード番号等を入力する手間を大幅に軽減することができる。
【００１７】
また、上記のシステムにおいて、カード記録媒体は、下記のようにクレジットカードの代わりにメモリカードとしてもよい。
前記カード型記録媒体は、メモリカードであり、前記カード情報は、前記メモリカードに記憶された住所，氏名，電話番号，ユーザＩＤ，パスワードのうち少なくともいずれか一つを含むことを特徴とする。
【００１８】
このようにすることで、インターネットサイト等で、頻繁に入力することが多いユーザの住所・氏名等の個人情報をワンタッチで読み出し、様々な入力画面の入力データとすることができる。また、複数のカード情報としてこれらの個人情報を登録しておけばサイトごとにデータを使い分けることができる。
【００１９】
さらに、上記のシステムにおいて、前記カード情報記憶部は、前記複数のボタンそれぞれに、前記複数のカード情報とショッピングサイトのＵＲＬ(Unified Resource Locator)を関連づけて記憶し、前記ショッピングサイトの決済画面において、前記記憶されたカード情報と異なるカード情報をもつクレジットカードが挿入された場合は、警告を表示することを特徴とする。
【００２０】
このようにすることで、入力装置の複数のボタンそれぞれに、クレジットカードとオンライン・ショッピングサイトを対応づけて登録できるので、クレジットカードとオンライン・ショッピングサイトとの組み合わせ、使い分けが容易となる。
【発明の効果】
【００２１】
本発明によれば、クレジットカード等の複数のカードを手軽に使い分けすることができるカード読取機構一体型のマウス等の入力装置を提供することができる。
【図面の簡単な説明】
【００２２】
【図１】本発明の第１の実施形態に係るカード読取機構一体型のマウス１０の外観を示す図である。
【図２】本発明の第１の実施形態に係るカード読取機構一体型のマウス１０の機能ブロックを示す図である。
【図３】本発明の第１の実施形態に係るカード読取機構一体型のマウス１０の機能ブロックの別の構成を示す図である。
【図４】本発明の第１の実施形態に係るカード読取機構一体型のマウス１０のソフトウェア環境を示す図である。
【図５】本発明の第１の実施形態に係るカード読取機構一体型のマウス１０のカード設定メニュー画面を示す図である。
【図６】本発明の第１の実施形態に係るカード読取機構一体型のマウス１０のカード設定メニュー画面（続）を示す図である。
【図７】本発明の第１の実施形態に係るカード読取機構一体型のマウス１０のカード選択の別の方法を示す図である。
【図８】本発明の第２の実施形態に係るカード読取機構一体型のマウス６０の外観を示す図である。
【図９】本発明の第３の実施形態に係るカード読取機構一体型のマウス７０の外観を示す図である。
【図１０】本発明の第４の実施形態に係る卓上型カード読取装置８０の外観を示す図である。
【発明を実施するための形態】
【００２３】
以下、添付図面を参照して、本発明を実施するための形態（以下、実施形態）について詳細に説明する。本発明の入力装置が扱うカード型記録媒体は、カード表面またはカード内部にデジタル情報が記録され、その情報を読み出したり入力することが必要となるようなカード（クレジットカード，キャッシュカード，デビットカード，ポイントカード，ＩＤカード，メモリカード等）を対象としているが、以下の実施形態では、クレジットカードを具体例にして説明する。なお、実施形態の説明の全体を通して同じ要素には同じ番号を付している。
【００２４】
図１は、本発明の第１の実施形態に係るカード読取機構一体型のマウス１０の外観を示す図である。一般的なマウスは、この図のように、左ボタン１４、右ボタン１５を備え、さらに、ホイールボタン１６（またはトラックボール）や、１または複数のサイドボタン（図示せず）を備えるものがある。また、図示してないが、マウス本体の下部には、マウスの水平方向の移動量を検出するためのボール式（機械式）センサまたはレーザ光を用いた光学式センサが装着されている。マウスは、ホスト装置であるＰＣ(Personal Computer)等に、ＰＳ２インターフェースまたはＵＳＢ;Universal
Serial Busインターフェース等の有線通信手段、あるいは電波，赤外線等の無線通信手段で接続される。なお、電波での無線通信手段としては、ＰＣ側のＵＳＢ端子に受信器を設け、マウス側の送信器との間で通信するものや、Ｂｌｕｅｔｏｏｔｈを用いて行うものもある。
【００２５】
本実施形態のマウス１０は、上記構成に加え、さらに、クレジットカード読取装置を内蔵し、クレジットカード３０をマウス本体に挿入して、クレジットカード内の情報を読み込ませるためのカード挿入口１８Ａを備える。カード挿入口は、後述するように複数あってもよい。マウス１０の外形は、クレジットカード３０の挿入を妨げずマウスとしての機能を果たす限り任意の形状・サイズであってよい。カード挿入口１８Ａは、カードを装着した際に、カードの一部分が本体外に多少出張るようにしてもよいが、その出張り部が人間の手のひらや指と干渉しないように配設されることが望ましい。マウス１０の内部には、カード読取部としてＩＣカード読取器が備えられ、クレジットカード上のＩＣチップ端子からカードに記録されたデータを読み込むことができる。なお、本実施形態では、ＩＣチップ付のクレジットカードを想定しているが、従来型の磁気ストライプ式クレジットカードの場合は、後述する別の実施形態で対応することも可能である。
【００２６】
本実施形態のマウス１０は、さらに特徴として、本体表面部に、図示するような「ショートカットボタン」１７を複数備えている。ショートカットボタン１７は、ユーザがこのボタンを押下することによって、ＰＣまたはマウス内に記憶されたクレジットカード情報を呼び出すためのボタンである。詳しくは後で説明するが、複数のクレジットカードを各ショートカットボタンに対応付けて記憶させることによって、そのボタンのワンタッチで対応したクレジットカード情報を呼び出せるのでクレジットカード情報の手入力を省力化でき、複数のクレジットカードの使い分けに役立つ。さらに、ショートカットボタン１７には、クレジットカード情報と、よく使うショッピングサイトのＵＲＬとに関連づけて記憶することで、ショッピングでの決済を省力化する機能も果たす。
【００２７】
図２は、本発明の第１の実施形態に係るカード読取機構一体型のマウス１０の機能ブロックを示す図である。マウス１０は、インターフェース部１１，カード読取部１２部，移動量検出部１３，左ボタン１４，右ボタン１５，ホイールボタン１６，上述のショートカットボタン１７を備える。さらに、左側面または右側面に１または複数のサイドボタン１９を備えていてもよい。インターフェース部１１は、移動量検出部１３，カード読取部１２，および各ボタンの押下検出部からの信号やデータを受けて、ＰＣ４０と前述のインターフェースを介して信号やデータをやりとりする。インターフェース部１１は、電子回路で構成する他、内部にマイクロプロセッサとＲＡＭ(Random Access Memory)を備えてもよい。カード読取部１２は、ＩＳＯ／ＩＥＣ７８１６で標準化された接触式ＩＣチップ端子からカード内部のデータを読み込む。読み込んだデータは、インターフェース部１１によって、ＰＣ４０に伝えられ、様々なアプリケーションの入力データとなる。ＰＣ４０には、マウス・デバイスドライバ（図示せず）がインストールされて、設定ファイル４０Ａには、マウスの各種設定値（パラメータ）等が保存されている。本実施形態において設定ファイル４０Ａには、カード読取部１２が読み込んだカード情報も保存される。この場合、設定ファイル４０Ａは、カード情報記憶部としても機能する。なお、移動量検出部１３，左ボタン１４，右ボタン１５，ホイールボタン１６については、一般的なマウスと同様なので説明は省略する。
【００２８】
図３は、本発明の第１の実施形態に係るカード読取機構一体型のマウス１０の機能ブロックの別の構成を示す図である。図３で示したマウス１０は、図２の機能ブロックに追加して、マウス内部に不揮発性の記憶部２０を備えた形態をとっている。図２の実施形態では、カードから読み込んだデータは、すべてＰＣ４０伝送され、ＰＣ４０内の設定ファイルＡに保存されるが、図３の実施形態では、マウスの各種設定パラメータを記憶部２０に記憶することで、設定ファイルの代わりとして用いる他、カード読取部１２が読み込んだカード情報を、いったんマウス内の記憶部２０に保存することができる。この場合、記憶部２０は、カード情報記憶部としても機能する。
【００２９】
マウス１０が備えるカード読取機能は、後述するように、本マウス専用のデバイスドライバ（ユーティリティを含む）で制御し、アプリケーション側での特別な変更を必要としないようにもできる。しかし、マウス側に不揮発性の記憶部２０を備えているので、より柔軟にアプリケーション側でも対応することができる。例えば、マウス１０の内部に読み込んだ複数のカード情報を記憶しておき、マウスのいずれかのボタン押下をトリガにして、その情報をＰＣに送り出すことや、マウス１０をクレジットカード以外のカードリーダとしても用いることや（後述）、記憶部２０をＵＳＢメモリのように使うこともできる。以下、図２および図３の機能構成のマウスは、同じマウス１０と表記し、特にことわらない限り、どちらの構成をとっていてもよいものとする。
【００３０】
図４は、本発明の第１の実施形態に係るカード読取機構一体型のマウス１０のソフトウェア環境を示す図である。この図では、ホスト装置（ＰＣ４０）側のアプリケーションであるＷｅｂブラウザ４１に、本実施形態のマウス１０および通常のキーボード５０から入力されたデータを伝える仕組みの概略を示す。
【００３１】
Ｗｅｂブラウザ４１は、例えば、ユーザがオンライン・ショッピング等で商品代金を決済する場合には、サーバから送信されたショッピング決済画面を表示し、さらに支払い方法にクレジットカードが選択されていれば、図のようなクレジット決済画面４７を表示する。クレジット決済画面４７では、少なくともカード上に刻印されたクレジットカード番号（１４〜１６桁），カードの有効期限（２桁の月番号と２桁の年番号），カード名義人の姓名（通常ローマ字）の入力が求められる。場合によっては、ＣＶＣ２(Card Validation Code)，ＣＶＶ２(Card
Verification Value)，ＣＩＤ(Card Identification Number)などと呼ばれるクレジットカード会社によって異なるセキュリティコード（３桁又は４桁）の入力を求められることもある。、クレジットカード番号の多くは１６桁であるが、１４桁や１５桁のクレジットカードもあり、ユーザにとっては毎回の入力が面倒であり入力ミスすることも多い。
【００３２】
Ｗｅｂブラウザ４１は、ＯＳ(Operating System)４２の上で稼動する一アプリケーションであるので、デバイス（この場合は、マウスとキーボード）から入力データを受けとるには、ＯＳに対して、ＡＰＩ(Application Program Interface)を発行する。具体的には、データを受け取る場合は、該当デバイスをまずｏｐｅｎして、その後ｒｅａｄし、必要なデータを受け取った最後にｃｌｏｓｅするＡＰＩを発行する。データをデバイスに送る場合は、該当デバイスをまずｏｐｅｎして、その後ｗｒｉｔｅし、必要なすべてのデータを送った最後にｃｌｏｓｅするＡＰＩを発行する。デバイス固有のコマンドを直接送る場合は、ｉｏｃｔｌのＡＰＩを発行する。ＯＳ４２は、アプリケーションからのＡＰＩを受けて、ｏｐｅｎするデバイスに対応するデバイスドライバを呼び出し、デバイスドライバが、ハードウェアに対して、デバイス固有のインターフェースを介して、データの読み書きを行う。デバイスがマウスの場合は、マウス・デバイスドライバ４３が、キーボードの場合は、キーボード・デバイスドライバ４４が、そのハードウェアの制御を行う。なお、デバイス・ドライバは、通常、デバイスをはじめてＰＣに接続する際に、自動的にインストールされる。
【００３３】
本実施形態のマウス１０でも、ＰＣ４０にはじめて接続する際に、マウス・デバイスドライバ４３がＰｎＰ(Plug and Play)によって自動的にインストールされる。本実施形態のマウス・デバイスドライバ４３は、キーボード・デバイスドライバ４４との間にドライバ間インターフェース４６をもっており、マウス１０からの入力データの一部をキーボード５０からのデータとしてキーボード・デバイスドライバ４４に送ることができる。キーボード・デバイスドライバ４４は、特別なものではなく、受け取ったデータをキーボード５０から入力されたデータとして以後は処理する。もちろん、キーボード５０からの入力データもそのまま処理する。具体的には、例えば、マウス１０が、マウスに挿入されたクレジットカードからクレジットカード番号を読み取ると、その番号をキーボード５０から入力されたものとしてキーボード・デバイスドライバ４４に１文字ずつ送る。送られたクレジットカード番号の文字は、キーボード・デバイスドライバ４４ではキーボードからの入力として扱われるので、そのままＷｅｂブラウザ４１が表示するクレジット決済画面４７のクレジットカード番号欄に表示される。クレジットカードの有効期限やカード名義人の入力についても同様である。ただし、セキュリティコードは、現在のところは、安全性のため、カードの署名欄の右に印刷されているのみでクレジットカード内にそのデータが記憶されていないので、キーボードから直接入力させる。暗証番号についても同様である。
【００３４】
以上の説明では、マウス・デバイスドライバ４３とキーボード・デバイスドライバ４４を別物として説明したが、両者を上位のクラス・デバイスドライバ４５としてまとめ、一体として提供してもよい。このようにすることで、アプリケーション側からは、あたかもクレジットカード番号がキーボードから入力されたように見えるので、デバイスドライバの変更のみで、アプリケーション側を特に変更する必要はなくなる。もちろん、アプリケーション側でマウス１０の機能をフルにサポートするように対応してもよい。また、デバイスドライバとＯＳ４２のインターフェースをＵＤＩ(Universal Device Interface)を用いて記述すれば、ＯＳの種類に依存することなく、一つのデバイスドライバのみを提供すればよい。
【００３５】
マウス・デバイスドライバ４３（マウス設定ユーティリティを含む）は、図示するようなマウス設定画面４８を表示し、マウスの各機能をユーザにカスタマイズさせることができる。通常、マウスの設定には、右ボタンやホイールボタンの機能を定義する機能、マウスボインタの表示（ポインタの形）を変更する機能、およびマウスポインタの画面上での移動速度を変更する機能等があるが、本実施形態のマウス設定画面４８では、マウスの拡張機能として、カード設定メニュー画面４９が追加される。このカード設定メニュー画面４９は、マウス１０が読み込んだクレジットカード情報を、ユーザが登録したり、変更したり、削除したり、参照したりする機能を提供する。具体的な設定の例は次の図で説明する。
【００３６】
図５、図６は、本発明の第１の実施形態に係るカード読取機構一体型のマウス１０のカード設定画面を示す図である。２つの図は、連続した画面を示しているので、以下まとめて説明する。
【００３７】
ユーザがＰＣ等において、マウスの設定を行うための所定の操作（例えばＷｉｎｄｏｗｓ（登録商標）の場合は、コントロールパネルの「プリンタその他ハードウェア」から、「マウス」のアイコンを押す）を行うことにより、マウス設定画面４８が表示される。マウス側から所定のボタンを押すことでマウス設定画面４８を表示させるようにしてもよい。そして、そのマウス設定画面４８のメニューから、ユーザがカード設定ボタンまたはカード設定タグを押すと、カード設定メニュー画面４９が表示され、カードの「登録」、「変更」、「削除」、「参照」の機能が選択できるようになる。カード設定メニュー画面４９で「新規」が選択された場合、図５左側の画面のように、「新規登録するクレジットカードを挿入し、登録したいボタンを選択してください」のメッセージとともに、マウス１０上のショートカットボタンに対応した番号が表示される（画面４９Ａ）。ここでは、ショートカットボタンには左側より順に１，２，３，４の番号が割り当てられている。ここで、ユーザが、クレジットカードをマウス１０に挿入後、マウス上のショートカットボタン「１」を押下したとすると、マウス１０は、それをトリガに挿入されたクレジットカードのデータを読み込み、マウス・デバイスドライバ４３は、そのマウスが読み込んだデータの内容を画面４９Ｂのように表示する。ここで、ユーザが「はい」のボタンを押すと、カード情報を登録した旨のメッセージが表示される（画面４９Ｃ）。さらに、「メニューに戻る」のボタンを押すと、カード設定メニュー画面４９に戻る。
【００３８】
このようにして登録されたクレジットカード情報は、ショートカットボタン１７の対応するボタンを押すことで、いつでもワンタッチで呼び出され、その呼び出されたクレジットカード情報を、前述したマウス・デバイスドライバ４３の働きによって、アプリケーション画面に取り込むことができる。すなわち、マウス上のボタンワンタッチで、クレジットカード情報（クレジットカード番号，有効期限，カード名義人等）が自動的に決済画面に入力されることになる。
【００３９】
カード設定メニュー画面４９で「変更」が選択された場合は、図６右側の画面のように、「変更登録するクレジットカードを挿入し、変更したいボタンを選択してください」のメッセージとともに、マウス１０上のショートカットボタンの配列に対応した番号が表示される（画面４９Ｄ）。ここで、ユーザが、クレジットカードをマウス１０に挿入後、「１」のボタンを押したとすると、マウス１０は、挿入されたクレジットカードのデータを読み込み、マウス・デバイスドライバ４３は、現在登録されているデータを設定ファイルまたはマウス１０の記憶部２０から読み出し、そのデータを画面４９Ｅの「変更前」に表示し、マウス１０が新たに読み込んだカードデータを画面４９Ｅの「変更後」のように表示する。ここで、ユーザが「はい」のボタンを押すと、カード情報を変更した旨のメッセージが表示される（画面４９Ｆ）。さらに、「メニューに戻る」のボタンを押すと、カード設定メニュー画面４９に戻る。
【００４０】
同様に、カード設定メニュー画面４９で「削除」が選択された場合は、図６の画面４９Ｇ、４９Ｈ，４９Ｉの画面の流れのとおり登録されたクレジットカード情報の削除が行われる。カード設定メニュー画面４９で「参照」が選択された場合は、図６の画面４９Ｊ，４９Ｋの画面の流れのとおり、登録されたクレジットカード情報の削除が行われる。
【００４１】
上記の登録、変更等の設定画面では、ショートカットボタンとクレジットカードの情報を対応づけて記憶させるようにしたが、ショートカットボタンにさらにショッピングサイトのＵＲＬを関連づけてもよい。すなわち、ひとつのショートカットボタンに、クレジットカードとショッピングサイトを関連づけして記憶しておき、例えば、ショートカットボタンを押下した際には、ショッピングサイトに自動的に飛んで、ユーザがそのショッピングサイトで買い物をしてクレジットカードで決済する画面に移行すると、ショートカットボタンに対応づけられたクレジットカード情報がその画面にすでに入力されている状態にすることも可能である。また、ショッピングサイトの決済画面において、対応づけられたクレジットカードとは別のクレジットカードを挿入すると警告を表示するようにもできる。もちろん、警告が表示された場合、挿入したクレジットカードに一時的に支払いを変更することや、以後の支払いのデフォルトカードとして登録を変更することも可能である。このようにすることで、よく利用するショッピングサイトごとに使用するクレジットカードをボタンひとつに登録しておくことができるので、クレジットカードの使い分けが容易になる。
【００４２】
また、上記の説明では、一人のユーザが複数のカードを所持していることを前提に説明したが、複数のユーザが、それぞれ１または複数カードを所持するような場合にも対応が可能である。具体的には、カード設定メニュー画面にログイン手段を設け、ログインするユーザＩＤと登録するカードの対応を前もって設定しておく。その後にログインしたカード設定メニュー画面では、ログインしたユーザＩＤに登録されたユーザのカードのみが設定・変更・削除が可能とする。さらに、このユーザＩＤとショッピングサイトのユーザＩＤを対応づけすることで、ショッピングサイトの決済画面等では、そのユーザに登録されたカードのみが使用可能となるように制御することもできる。また、ショートカットボタン１７とユーザＩＤを対応づけするようにしてもよい。例えば、ショートカットボタン１７のボタン１はユーザＩＤ１に、ボタン２はユーザＩＤ２のように割り付け設定を行えるようにする。もちろん、ユーザ間の取り決めで、各ボタンとユーザＩＤを一義的に定義してもよい。このようにすることで、１台のＰＣやマウスを家族等で共有しても、お互いのカード情報を誤って使用したり変更したりする危険性がなくなる。
【００４３】
図７は、本発明の第１の実施形態に係るカード読取機構一体型のマウス１０のカード選択の別の方法を示す図である。カード設定選択画面（４９Ａ，４９Ｄ，４９Ｇ，４９Ｊ）において、図７上段のようなカード選択画面を表示させ、その状態で、図７の下段に示すように、例えば、マウスのサイドボタン１９を押しながら、ホイールボタン１６を回し、上段のカード選択部をスクロールさせて、登録・変更・削除・照会の各場面で、クレジットカードを選択させる。特に、登録したいクレジットカードの枚数がショートカットボタン１７のボタン数を上回る場合は、このような方法で、クレジットカードの選択を行わせることもできる。また、決済画面においても上記のようなカード選択画面をポップアップとして表示させるようにしてもよい。
【００４４】
図８は、本発明の第２の実施形態に係るカード読取機構一体型のマウス６０の外観を示す図である。第１の実施形態におけるマウス１０は、カード挿入口を１つ備えるものであったが、第２の実施形態のマウス６０は、カード挿入口を２つ備える。すなわち、図示するように、第１カード挿入口１８Ａに加えて、第２カード挿入口１８Ｂを具備している。第２カード挿入口１８Ｂは、通常のクレジットカードより約４３％面積が小さいミニサイズ・クレジットカード３１に対応するようにしてもよい。通常のクレジットカードのサイズ３０は、縦５４ｍｍ、横８６ｍｍであるのに対し、ミニサイズ・クレジットカード３１は、縦４０ｍｍ、横６６ｍｍであるので、マウスのような小型の入力装置に装着するのに向いている。図では、側面から横向きにミニサイズ・クレジットカード３１を挿入するようにしているが、縦方向、すなわち、第１カード挿入口１８Ａの上段または下段に、第２カード挿入口１８Ｂを併設してもよい。第１カード挿入口１８Ａもミニサイズ対応としてもよいし、大型のマウスの場合は、第２カード挿入口１８Ｂを通常サイズのクレジットカード対応としてもよい。
【００４５】
上記のような構成をとることで、クレジットカードを差し替える手間がなくなり、２種類のカードを装着したままでも、使い分けが可能となる。さらに、ショートカットボタン１７と組み合わせることで、３枚以上のカードを登録できることは言うまでもない。
【００４６】
図９は、本発明の第３の実施形態に係るカード読取機構一体型のマウス７０の外観を示す図である。第１の実施形態、および第２の実施形態のマウスは、いずれもＩＣチップ内蔵のクレジットカードを読み取ることを前提にしていたが、第３の実施形態では、ＩＣチップを内蔵していない従来型の磁気ストライプ式のクレジットカード３０（通常サイズ）を読み込ませることができるマウス７０を示している。マウス７０は、横幅が通常サイズのクレジットカードより数センチ程度短いので、図のように、マウスの一方の側面（図では右側）からカードを挿入して、他方の側面（図では左側）から引き出し、クレジットカード上の磁気ストライプを適切な速度で通過させることで、クレジットカードのデータを読み込ませることを可能としている。もちろん、複数のカードを順に読み込ませ、そのデータを記憶させ、ショートカットボタン１７と組み合わせて、複数のカード情報を以後ワンタッチで呼び出すことができる点には変わりない。
【００４７】
以上、第１から第３までの実施形態においては、カード読取機講一体型の入力装置の例としてマウスを説明したが、本発明の入力装置は、マウスに限るものではない。図１０は、本発明の第４の実施形態に係る卓上型カード読取装置８０の外観を示す図である。
【００４８】
卓上型カード読取装置８０は、図示するような箱型形状を持った筐体の上部に、ミニサイズ・クレジットカード装着部８１，通常サイズ・クレジットカード装着部８２を備える。それぞれの装着部には、ＩＣチップ端子８３が設置され、クレジットカード表面のＩＣチップと接触することでカード内部のデータを読み出すことができる。装着部８１，８２のくぼみは、それぞれカードサイズに合うように成形されている。ユーザは、クレジットカードを装着する場合は、装着部８１または装着部８２の前方から後方にかけての傾斜面を利用し、カードをＩＣチップのある面を下側にしてすべらすように奥まで突き当てて、クレジットカードのＩＣチップと装着部８１または８２のＩＣチップ端子が接触するように位置決めをする。
【００４９】
また、卓上型カード読取装置８０は、従来型の磁気ストライプ式カードを読み込ませるための磁気ストライプ読取部８４を備えていてもよい。ホスト装置（ＰＣ４０）との接続は、マウスと同様に、ＵＳＢや無線、有線インターフェースであってよく、ホスト装置からは、第１〜第３の実施形態のマウスとして認識されるようにしてもよい。
【００５０】
また、卓上型カード読取装置８０にＵＳＢ端子を複数設け、ＵＳＢハブとして機能するようにしてもよい。なお、卓上型カード読取装置８０の前面部には、複数のショートカットボタン８５や、その他のボタン８６（例えば、Ｅｎｔｅｒキー）を設けて、複数のカードの登録させ、使い分けを簡単にできるようにすることは言うまでもない。さらに、その他のボタンを、ノートＰＣに装着されているような、タッチパッドと、左ボタン、右ボタンで構成することで、マウスとしても機能できるようにしてもよい。
【００５１】
第１〜第４の実施形態において、入力装置が扱うカード型記録媒体としては、クレジットカードを用いて説明したが、本発明のカード型記録媒体は、これらに限定されるものではない。例えば、入力装置に、ＳＤカード（登録商標）やスマートメディア（登録商標）、あるいはコンパクトフラッシュ（登録商標）のようなメモリカードの挿入口を設けて、クレジットカード以外のカードにも対応するマルチメモリカード読取装置として機能させることもできる。メモリカードに住所・氏名・電話番号や、よく使うサイトのユーザＩＤやパスワード等の情報を記憶させておき、ボタン一つでその内容を読み出して表示し、あるいはそれをそのまま画面の入力データとすることもできる。このようにすることで、インターネットサイト等で、頻繁に入力することが多いユーザの住所・氏名等の個人情報をワンタッチで読み出し、様々な入力画面の入力データとすることができる。また、複数のカード情報としてこれらの個人情報を登録しておけばサイトごとにデータを使い分けることができる。
【００５２】
また、他のカード型記録媒体としては、キャッシュカード，デビットカードのような金融系カード，ポイントカード，会員カードのような会員系カード、および保険証，免許証，パスポート，住基カードのような証明書系カード等が考えられる。特に、米国のソーシャルセキュリティ番号のように、本人確認のために証明書系カード番号の入力を求められることが今後多くなることも予想され、本発明はそういった場合にもカードのデータ入力負担を軽減するものとして期待できる。
【００５３】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【符号の説明】
【００５４】
１０    マウス（第１の実施形態）
１１    インターフェース部
１２    カード読取部
１３    移動量検出部
１４    左ボタン
１５    右ボタン
１６    ホイールボタン
１７    ショートカットボタン
１８Ａ  第１カード挿入口
１８Ｂ  第２カード挿入口
１９    サイドボタン
２０    記憶部
３０    通常サイズ・クレジットカード
３１    ミニサイズ・クレジットカード
４０    ホスト装置（ＰＣ）
４０Ａ    設定ファイル
４１    Ｗｅｂブラウザ
４２    ＯＳ（オペレーティングシステム）
４３    マウス・デバイスドライバ
４４    キーボード・デバイスドライバ
４５    上位クラス・デバイスドライバ
４６    ドライバ間インターフェース
４７    ショッピング決済画面
４８    マウス設定画面
４９    カード設定メニュー画面
５０    キーボード
６０    マウス（第２の実施形態）
７０    マウス（第３の実施形態）
８０    卓上型カード読取装置（第４の実施形態）
８１    ミニサイズ・クレジットカード装着部
８２    通常サイズ・クレジットカード装着部
８３    ＩＣチップ端子
８４    磁気ストライプ読取部
８５    ショートカットボタン
８６    Ｅｎｔｅｒキー
【図１】
0005715431.tif 000002
【図２】
0005715431.tif 000003
【図３】
0005715431.tif 000004
【図４】
0005715431.tif 000005
【図５】
0005715431.tif 000006
【図６】
0005715431.tif 000007
【図７】
0005715431.tif 000008
【図８】
0005715431.tif 000009
【図９】
0005715431.tif 000010
【図１０】
0005715431.tif 000011